(57)【要約】【課題】ディスプレイ装置において、アンテナに配置スペースを与える。【解決手段】ディスプレイ装置１は、ディスプレイ５と、タッチセンサ７と、基板３と、アンテナ構造３１と、周辺回路３９とを備えていている。ディスプレイ５は、第１面５ａと第２面５ｂとを有している。タッチセンサ７は、ディスプレイ５の第１面５ａ側に配置されている。基板３は、ディスプレイ５の第２面５ｂ側に配置されている。アンテナ構造３１は、積層方向においてディスプレイ５の第１面５ａ側に配置されたアンテナ素子３３と、アンテナ素子３３からディスプレイ５側に離れて対向配置されたグラウンド電極３５と、ディスプレイ５の第２面５ｂ側に配置された給電線路３７とを有している。周辺回路３９は、給電線路３７に接続されている。【選択図】図２
2020178217.tif 000002
【特許請求の範囲】
【請求項１】
第１面と第２面を有するディスプレイと、
前記ディスプレイの前記第１面側に配置されたタッチセンサと、
前記ディスプレイの前記第２面側に配置された基板と、
積層方向において前記ディスプレイの前記第１面側に配置されたアンテナ素子と、前記アンテナ素子から前記ディスプレイ側に離れて対向配置されたグラウンド電極と、前記ディスプレイの前記第２面側に配置された給電線路を有するアンテナ構造と、
前記給電線路に接続された周辺回路と、
を備えたディスプレイ装置。
【請求項２】
前記アンテナ素子は、前記タッチセンサの前記ディスプレイと反対側に設けられている、請求項１に記載のディスプレイ装置。
【請求項３】
前記アンテナ素子と前記グラウンド電極との間に配置された空気層をさらに備えている、請求項１又は２に記載のディスプレイ装置。
【請求項４】
前記アンテナ素子と前記グラウンド電極との間に配置された誘電体層をさらに備えている、請求項１又は２に記載のディスプレイ装置。
【請求項５】
前記給電線路と前記周辺回路は、前記基板の前記ディスプレイと反対側の面に設けられている、請求項１〜４のいずれかに記載のディスプレイ装置。
【請求項６】
前記給電線路と前記周辺回路は、前記ディスプレイの前記第２面側に設けられている、請求項１又は２に記載のディスプレイ装置。
【発明の詳細な説明】
【技術分野】
【０００１】
本発明は、ディスプレイ装置、特に、アンテナ及びタッチセンサを有するディスプレイ装置に関する。
【背景技術】
【０００２】
スマートホン、携帯電話、タブレット端末などの機器の入力部としてタッチパネルが使用されている。また、これら機器は、無線通信（例えば、ＷｉＦｉ、ＧＰＳ、Ｂｌｕｅｔｏｏｔｈ（登録商標）、３Ｇ、ＬＴＥ等）の送受信用アンテナを備えている（例えば、特許文献１を参照）。
【０００３】
現在実用化が進んでいる５Ｇシステムにおいて、５Ｇ用のアンテナ（駆動周波数：２８ＧＨｚ）は、ビームフォーミング（ビームステアリング）性能が求められる。５Ｇ用のアンテナの一種として、パッチアンテナを複数個（１×４や２×４や８×８等）配列した、パッチアレーアンテナがある。パッチアンテナの電極材料はＣｕやＡｇ等の金属やその合金、樹脂を含んだ金属インキ（Ａｇペースト）などである。パッチアンテナの１辺の寸法は、例えば、λ／２＝５ｍｍ（２８ＧＨｚ）程度である。
【０００４】
パッチアンテナとＲＦＩＣ等の周辺回路が同一平面上に配置できる場合には、パッチアンテナは、２層構造をとる。
パッチアンテナと周辺回路が同一平面上に取れない場合や、帯域幅を増やす目的の場合、非接触給電（Ａｐｅｒｔｕｒｅ  ｃｏｕｐｌｅｄ  ｆｅｅｄ）構造をとり、パッチアンテナと給電線路とを容量性結合で接続させる。また、非接触給電（Ｐｒｏｘｉｍｉｔｙ  ｃｏｕｐｌｅｄ  Ｆｅｅｄ）構造をとることもできる。これらの場合は、５Ｇ用アンテナは、３層のマルチレイヤー構造になる。
【先行技術文献】
【特許文献】
【０００５】
【特許文献１】特開２０１５−７９３９９号公報
【発明の概要】
【発明が解決しようとする課題】
【０００６】
５Ｇアンテナの問題として、複数個のパッチアンテナを基板（メインボード）上に配置するスペースが不足している。これは、現在、携帯端末機の小型化・薄型化・高性能化・アンテナの多搭載化が進んでいるためである。
また、アンテナは周りの構造物（特に金属構造物）の影響を受け特性が劣化するので、そのような影響を無くすために周辺には金属構造物が無いことが望ましい。そのため、アンテナをメインボード上に設ける場合は、基板上のアンテナ周辺にメタル開口部を設ける必要がある。
【０００７】
本発明の課題は、ディスプレイ装置において、アンテナ用に適切な配置スペースを見つけ出すことにある。
【課題を解決するための手段】
【０００８】
以下に、課題を解決するための手段として複数の態様を説明する。これら態様は、必要に応じて任意に組み合せることができる。
【０００９】
本発明の一見地に係るディスプレイ装置は、ディスプレイと、タッチセンサと、基板と、アンテナ構造と、周辺回路とを備えていている。
ディスプレイは、第１面と第２面を有する。
タッチセンサは、ディスプレイの第１面側に配置されている。
基板は、ディスプレイの第２面側に配置されている。
アンテナ構造は、積層方向においてディスプレイの第１面側に配置されたアンテナ素子と、アンテナ素子からディスプレイ側に離れて対向配置されたグラウンド電極と、ディスプレイの第２面側に配置された給電線路とを有している。
周辺回路は、給電線路に接続されている。
【００１０】
この装置では、以下の効果が得られる。
第１に、配置場所が限定されているディスプレイ装置において、アンテナ素子に配置スペースを与えることができる。
第２に、アンテナ素子が積層方向においてディスプレイの第１面側に配置されているので、アンテナ素子が金属構造物の影響を受けにくく、良好なアンテナ特性が得られる。
第３に、非接触給電を用いることで、アンテナ構造とＲＦＩＣ等の周辺回路との接続について、部品増加や実装に伴うコストを抑えつつ、接続部分の劣化・消耗が起きないロバストな設計にすることができる。また同軸コネクタや同軸ケーブルの電力ロスに起因する効率の低下を抑えることができる。
【００１１】
アンテナ素子は、タッチセンサのディスプレイと反対側に設けられていてもよい。
この装置では、アンテナ素子が金属構造物の影響を受けにくく、良好なアンテナ特性が得られる。
【００１２】
ディスプレイ装置は、アンテナ素子とグラウンド電極との間に配置された空気層をさらに備えていてもよい。
この装置では、簡単な構造で、電磁結合による給電を実現できる。
【００１３】
ディスプレイ装置は、アンテナ素子とグラウンド電極との間に配置された誘電体層をさらに備えていてもよい。
この装置では、誘電体層によってアンテナ素子とグラウンド電極との間の距離が固定されるので、所望のアンテナ特性（共振周波数やＲｅｔｕｒｎ  Ｌｏｓｓ、放射効率等）を実現できる。
【００１４】
給電線路と周辺回路は、ディスプレイに対して基板と反対側の面に設けられていてもよい。
【００１５】
給電線路と周辺回路は、ディスプレイに対してタッチセンサと反対側の面に設けられていてもよい。
【発明の効果】
【００１６】
本発明に係るディスプレイ装置では、アンテナ用の配置スペースが与えられる。
【図面の簡単な説明】
【００１７】
【図１】第１実施形態に係るディスプレイ装置の模式的平面図。
【図２】第１実施形態に係るディスプレイ装置の模式的断面図。
【図３】アンテナ構造の基本構造を示す模式的分解図。
【図４】第２実施形態に係るディスプレイ装置の模式的断面図。
【図５】第３実施形態に係るディスプレイ装置の模式的断面図。
【図６】第４実施形態に係るディスプレイ装置の模式的断面図。
【図７】第５実施形態に係るディスプレイ装置の模式的断面図。
【図８】第６実施形態に係るディスプレイ装置の模式的断面図。
【図９】第７実施形態に係るディスプレイ装置におけるアンテナ素子の位置を示す模式的平面図。
【図１０】第８実施形態に係るディスプレイ装置におけるアンテナ素子の位置を示す模式的平面図。
【図１１】第９実施形態に係るディスプレイ装置におけるアンテナ素子の位置を示す模式的平面図。
【発明を実施するための形態】
【００１８】
１．第１実施形態
（１）基本構成
図１及び図２を用いて、ディスプレイ装置１（ディスプレイ装置の一例）を説明する。図１は、第１実施形態に係るディスプレイ装置の模式的平面図である。図２は、第１実施形態に係るディスプレイ装置の模式的断面図である。
ディスプレイ装置１は、図２に示すように、基板３と、ディスプレイ５と、タッチセンサ７と、カバー部材９とを有している。これら部材は、図２下側から上側に向けて上記の順番で積層されている。
【００１９】
（２）基板
基板３（基板の一例）は、平板状に形成されたメインボードＰＣＢ（Ｐｒｉｎｔｅｄ  Ｃｉｒｃｕｉｔ  Ｂｏａｒｄ）である。基板３は、図２上側の第１面３ａと図２下側の第２面３ｂとを有している。基板３は、ディスプレイ５のタッチセンサ７と反対側に配置されている。
【００２０】
（３）ディスプレイ
ディスプレイ５（ディスプレイの一例）は、例えば、液晶表示装置、有機ＥＬ表示装置である。ディスプレイ５は、操作者に各種の情報を表示する。
ディスプレイ５は、図２上側の第１面５ａと図２下側の第２面５ｂとを有している。ディスプレイ５は、基板３の図上方に離れて配置されている。つまり、基板３はディスプレイ５の第２面５ｂ側に配置されている。
【００２１】
（４）タッチセンサ
タッチセンサ７（タッチセンサの一例）は、ディスプレイ５に積層されている。タッチセンサ７によって、操作者による各種の入力操作が可能である。タッチセンサ７は、図２上側の第１面７ａと図２下側の第２面７ｂとを有している。
タッチセンサ７は、第１接着層６を介してディスプレイ５の第１面５ａ上に積層されている。
タッチセンサ７は、例えば、静電容量方式である。
【００２２】
（５）カバー部材
カバー部材９は、タッチセンサ７の上に積層されている。カバー部材９は、例えば、カバーガラスである。カバー部材９は、図２上側の第１面９ａと図２下側の第２面９ｂとを有している。
カバー部材９は、第２接着層８を介してタッチセンサ７の上に積層されている。
カバー部材９は、図１に示すように、平面視で、表示領域９ｃと額縁領域９ｄとを有している。表示領域９ｃは、ディスプレイ５の表示部及びタッチセンサ７の複数の電極を含む操作領域に対応している。額縁領域９ｄは、ディスプレイ５の額縁部及びタッチセンサ７の額縁部に対応しており、表示領域９ｃの周縁部にある。
【００２３】
（６）パッチアレイアンテナ
ディスプレイ装置１は、例えば、２個のアンテナ構造３１（アンテナ構造の一例）を有している。各アンテナ構造３１は、例えば５Ｇ用アンテナである。アンテナ構造３１は、２個以上のアンテナ素子からなるフェーズドアレイアンテナである。これにより、ビームフォーミング性能が実現され、つまり指向性及び放射方向のコントロールができる。なお、アンテナ素子の数は２個に限定されない。
【００２４】
さらに、５Ｇ用アンテナが使用する周波数帯域は下記の２つである。
１）ｓｕｂ６：  ６ＧＨｚ以下（特に日本は３．４８〜４．２ＧＨｚ、４．４〜４．９ＧＨｚを検討中）
２）ｍｍＷａｖｅ  ：２５〜８０ＧＨｚ（特に日本は４３．５ＧＨｚ以下を検討中）
また、５Ｇ用アンテナの１つの素子は、一般的に、一辺がλ／２に準ずるサイズである。
アンテナ構造３１は、非接触給電（ａｐｅｒｔｕｒｅ  ｃｏｕｐｌｅｄ  ｆｅｅｄ）構造（後述）を採用している。
【００２５】
アンテナ構造３１は、図１に示すように、平面視で、カバー部材９の額縁領域９ｄに対応する位置に配置されている。この実施形態では、アンテナ構造３１は通常、可視光不透明である。アンテナ構造３１がカバー部材９の額縁領域に配置されるので、可視光透明とする必要性が無いからである。
【００２６】
（６−１）アンテナ構造
図３を用いて、アンテナ構造３１を詳細に説明する。図３は、アンテナ構造の基本構造を示す模式的分解図である。
アンテナ構造３１は、図１及び図３に示すように、複数のアンテナ素子３３（アンテナ素子の一例）を有している。図３に示すように、アンテナ素子３３の平面形状は円形であるが、各種の多角形、楕円形等のような任意の形状に形成してもよい。アンテナ素子３３は、導電性ペースト（例えば金属粒子とバインダー樹脂からなるペースト）、銅薄膜等で作製される。
複数のアンテナ素子３３から電波が出力される。また、複数のアンテナ素子３３から放射される電波は、互いの位相、振幅等が適宜調整される。これにより、アンテナ構造３１は、電波の放射方向を能動的に調整することができる。
アンテナ素子３３は、例えば、２行３列のマトリクス状で合計６個形成されている。なお、アンテナ素子３３の個数や配置は、適宜設定できる。なお、アンテナ素子３３は、２次元のマトリクス状に限らず、１次元の列状に並べてもよい。
【００２７】
次に、図２を用いて、アンテナ素子３３の積層方向位置を説明する。アンテナ素子３３は、ディスプレイ５の第１面５ａ側（つまり、タッチセンサ７側）に配置されている。具体的には、アンテナ素子３３は、タッチセンサ７に対してディスプレイ５と反対側に設けられている。この場合、アンテナ素子３３が金属構造物の影響を受けにくく、良好なアンテナ特性が得られる。さらに具体的には、アンテナ素子３３は、タッチセンサ７の第１面７ａ（ディスプレイ５と反対側の面）に形成されている。
【００２８】
アンテナ構造３１は、グラウンド電極３５（グラウンド電極の一例）を有している。グラウンド電極３５は、アンテナ素子３３のアース面として機能する。
次に、図２を用いて、グラウンド電極３５の積層方向位置を説明する。グラウンド電極３５は、アンテナ素子３３からディスプレイ５側に離れて対向配置されている。具体的には、グラウンド電極３５は、基板３の第１面３ａ（ディスプレイ５側の面）に形成されており、アンテナ素子３３とグラウンド電極３５との間に空気層３８が形成されている。空気層３８は、積層方向位置がディスプレイ５と同じである。つまり、ディスプレイ５は、一部において切り欠かれた状態になっており、空気層３８を形成している。なお、空気層３８は、ディスプレイ５がタッチセンサ７やカバー部材９より例えばいずれかの辺を短くする等で面積を小さくすることによって形成されてもよい。
なお、グラウンド電極３５には、図３に示すように、開口部３５ａが形成されている。
【００２９】
アンテナ構造３１は、給電線路３７（給電線路の一例）を有している。給電線路３７は、ディスプレイ５の第２面５ｂ側（つまり、タッチセンサ７と反対側）に配置されている。つまり、給電線路３７は、グラウンド電極３５と別の積層方向位置に形成されている。具体的には、給電線路３７は、基板３の第２面３ｂ（ディスプレイ５と反対側の面）に形成されている。
給電線路３７は、例えばマイクロストリップ線路であり、アンテナ素子３３に高周波信号ＲＦを供給する。図３に示すように、給電線路３７は、グラウンド電極３５の開口部３５ａを通ってアンテナ素子３３と容量性結合で接続している。
【００３０】
ディスプレイ装置１は、周辺回路３９（周辺回路の一例）を有している。周辺回路３９は、給電線路３７に接続されている。具体的には、給電線路３７は、周辺回路３９と同一平面、つまり基板３の第２面３ｂに設けられている。 
【００３１】
（６−２）実施形態の効果
第１に、配置場所が限定されているディスプレイ装置１において、アンテナ構造３１に配置スペースを与えることができる。
第２に、アンテナ素子３３がディスプレイ５に対してタッチセンサ７側に配置されているので、アンテナ素子３３が金属構造物の影響を受けにくく、良好なアンテナ特性が得られる。
第３に、非接触給電を用いることで、アンテナ素子３３とＲＦＩＣ等の周辺回路３９との接続について、部品増加や実装に伴うコストを抑えつつ、接続部分の劣化・消耗が起きないロバストな設計にすることができる。また同軸コネクタや同軸ケーブルの電力ロスによる効率の低下を抑えることができる。
追加の効果として、アンテナ素子３３をタッチセンサ７の電極や配線と同時に製造できる。このため、安価になる。
【００３２】
２．第２実施形態
第１実施形態ではアンテナ素子３３はタッチセンサ７の第１面７ａに形成されていたが、アンテナ素子３３はタッチセンサ７に対してディスプレイ５と反対側に形成されてさえいればよいので、その範囲であればアンテナ素子３３は第１実施形態と異なる位置に設けられていてもよい。上記条件が満たされれば、アンテナ素子３３が金属構造物の影響を受けにくくなるという効果が得られるからである。
【００３３】
図４を用いて、そのような実施例を第２実施形態として説明する。図４は、第２実施形態に係るディスプレイ装置の模式的断面図である。
この実施形態の基本構造は、第１実施形態と同じである。
異なる点として、アンテナ素子３３Ａは、カバー部材９に形成されている。具体的には、アンテナ素子３３Ａは、カバー部材９の第２面９ｂに設けられている。
この実施形態でも、第１実施形態と同様の効果が得られる。
【００３４】
３．第３実施形態
第１実施形態及び第２実施形態ではアンテナ素子３３はタッチセンサ７に対してディスプレイ５と反対側に配置されていたが、パッチアレイアンテナはディスプレイ５よりタッチセンサ７側に形成されてさえいれば、アンテナ素子３３は第１実施形態及び第２実施形態と異なる位置に設けられていてもよい。その範囲であれば、アンテナ素子３３に配置スペースを与えることができたり、アンテナ素子３３が金属構造物の影響を受けにくくなったりするという効果が得られるからである。
図５を用いて、そのような実施例を第３実施形態として説明する。図５は、第３実施形態に係るディスプレイ装置の模式的断面図である。
【００３５】
この実施形態では、基本構造は第１実施形態と同じである。
異なる点として、アンテナ素子３３Ｂは、タッチセンサ７の第２面７ｂ（ディスプレイ５側の面）に形成されている。
この実施形態でも、第１実施形態及び第２実施形態と同様の効果が得られる。
【００３６】
４．第４実施形態
第１〜第３実施形態ではアンテナ素子３３とグラウンド電極３５との間でディスプレイ５に相当する部分には空気層３８が設けられていたが、適切な比誘電率が得られれば良いので、ここには空気層以外の構成を用いてもよい。
図６を用いて、そのような実施例を第４実施形態として説明する。図６は、第４実施形態に係るディスプレイ装置の模式的断面図である。
【００３７】
ディスプレイ装置１は、アンテナ素子３３とグラウンド電極３５との間に配置された誘電体層４０をさらに備えている。誘電体層４０は、積層方向位置がディスプレイ５と同じである。つまり、ディスプレイ５は、一部において切り欠かれた状態になっており、その部分に誘電体層４０が充填されている。なお、誘電体層４０が充填される空間は、ディスプレイ５がタッチセンサ７やカバー部材９より例えばいずれかの辺を短くする等で面積を小さくすることによって形成されてもよい。
誘電体層４０は、プラスチックフィルムやＯＣＡ等である。フィルム等で充填する場合は、アンテナ素子３３とグラウンド電極３５との間の距離が固定されるので、所望のアンテナ特性（共振周波数やＲｅｔｕｒｎ  Ｌｏｓｓ、放射効率等）を実現できる。また、比誘電率＞１（空気）となるので、波長短縮効果によりアンテナ素子３３のサイズを小さくできる。
誘電体層４０の比誘電率は、通常、１．０を超えて２．５以下、好ましくは、１．５以上２．５以下である。低誘電率層の比誘電率がこの範囲にあると、アンテナ素子３３と給電線路３７の電気的結合程度をさらに小さくできる。
なお、第１〜第３実施形態に誘電体層を設けてもよい。
【００３８】
５．第５実施形態
第１〜第４実施形態では、給電線路３７及び周辺回路３９が形成された基板はメインボードであったが、上記の基板はメインボードではなくてもよい。
図７を用いて、そのような実施例を第５実施形態として説明する。図７は、第５実施形態に係るディスプレイ装置の模式的断面図である。
第５実施形態の基本構造は、第１〜第４実施形態と同じである。
【００３９】
ディスプレイ装置１は、基板３の代わりに、第１基板４１と、第２基板４３を有している。
第１基板４１は、例えば、ＰＣＢ又はＦＰＣ（Ｆｌｅｘｉｂｌｅ  ｐｒｉｎｔｅｄ  ｃｉｒｃｕｉｔｓ）からなる。第１基板４１には、給電線路３７と周辺回路３９が設けられている。
【００４０】
第２基板４３は、メインボードであり、例えばＰＣＢである。第１基板４１と第２基板４３は電気的に接続されている。
この実施形態では、アンテナ素子３３とグラウンド電極３５の間に、誘電体層４０Ａが配置されている。誘電体層４０Ａは、第４実施形態の誘電体層４０と同じである。
この実施形態でも、第１〜第４実施形態と同様の効果が得られる。
【００４１】
６．第６実施形態
第１〜第５実施形態では給電線路３７と周辺回路３９は基板に設けられていたが、他の部材に設けられていてもよい。
図８を用いて、そのような実施例を第６実施形態として説明する。図８は、第６実施形態に係るディスプレイ装置の模式的断面図である。
第６実施形態の基本構造は、第１〜第５実施形態と同じである。
グラウンド電極３５は、ディスプレイ５の第１面５ａに形成されている。したがって、この実施形態ではディスプレイ５の積層方向位置に対応する空気層や誘電体層は形成されていない。
給電線路３７と周辺回路３９は、ディスプレイ５の第２面５ｂ（タッチセンサ７と反対側の面）に設けられている。
【００４２】
上記のように、ディスプレイ５の電極を利用して、ディスプレイ５に、グラウンド電極３５と給電線路３７を形成している。具体的には、ディスプレイ５の第１面５ａにグラウンド電極３５が形成され、ディスプレイ５の第２面５ｂに給電線路３７及び周辺回路３９が形成される。
給電線路３７は周辺回路３９に接続されている。また周辺回路３９と基板３Ａとは電気的に接続される。
なお、周辺回路は、ディスプレイに接続するＦＰＣ上に形成されてもよい。
この実施形態でも、第１〜第５実施形態と同様の効果が得られる。
【００４３】
７．第７実施形態
アンテナの種類・形状・配置についての変形例を説明する。
図９を用いて、そのような実施例として第７実施形態を説明する。図９は、第７実施形態に係るディスプレイ装置におけるアンテナの位置を示す模式的平面図である。なお、以下の説明は第１〜第６実施形態に適用可能であり、さらに他の実施形態にも適用可能である。
図９において、アンテナ素子３３Ａは、平面視でカバー部材９の額縁領域９ｄに重なって配置されている。アンテナ素子３３Ａの寸法ＬとＷ（給電線路に平行な成分をＬ、垂直の成分をＷと定義する）において、Ｌは共振周波数を決める重要な寸法であるので、調整幅が小さい。しかし、ＷについてはＷ＜Ｌとすることが可能である。
【００４４】
この実施形態では、給電線路３７は、カバー部材９の額縁領域９ｄの延びる方向に対して水平に配置されて、アンテナ素子３３Ａに接続している。したがって、アンテナ素子３３ＡのＷを小さくでき、ひいては例えばカバー部材９の額縁領域９ｄの幅が狭い場合でも効率の良いアンテナを設計できる。
他の効果として、給電線路３７の向きを上記のように設定することで、例えばカバー部材９の額縁領域９ｄを狭くできる。
【００４５】
８．第８実施形態
第７実施形態ではアンテ素子３３Ａは、パッチアンテナ単体であったが、パッチアレーアンテナでもよい。
図１０を用いて、そのような実施例を第８実施形態として説明する。図１０は、第８実施形態におけるディスプレイ装置におけるアンテナ素子の位置を示す模式的平面図である。
この実施形態でも、複数の給電線路３７は、カバー部材９の額縁領域９ｄの延びる方向に対して水平に配置されて、複数のアンテナ素子３３Ｂそれぞれに接続している。したがって、アンテナ素子３３ＢはＷを小さくでき、ひいてはカバー部材９の額縁領域９ｄの幅が狭い場合でも効率の良いアンテナを設計できる。
【００４６】
９．第９実施形態
図１１を用いて、パッチアレーアンテナの他の実施例を第９実施形態として説明する。図１１は、第９実施形態におけるディスプレイ装置におけるアンテナの位置を示す模式的平面図である。なお、以下の説明は第１〜第６実施形態に適用可能であり、さらに他の実施形態にも適用可能である。
この実施形態では、給電線路３７は、カバー部材９の額縁領域９ｄに対して垂直に延びて、アンテナ素子３３Ｃに接続している。この場合、アンテナ素子３３Ｃをアレイ状に形成する場合に高集積化が可能であり、また、アンテナ素子３３Ｃ間の距離の調整代が増えることでアレイ化の設計自由度が増える。
【００４７】
１０．第１０実施形態
アンテナ素子３３は、カバー部材９の表示領域９ｃに配置されてもよい。その場合は、アンテナ素子３３は、可視光透明な導電膜で作成されることが好ましい。例えば、アンテナ素子３３は、ＩＴＯ（酸化インジウム・スズ）、透明導電性インク（例えば銀ナノワイヤーインク）から形成されてもよい。
【００４８】
１１．他の実施形態
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
本発明は静電容量方式のタッチパネル以外にも適用でき、例えば抵抗膜式のタッチパネルにおいて実施することができる。
本発明は５Ｇ用アンテナ以外にも適用でき、３Ｇ、４Ｇ、Ｗｉｆｉ等の他の通信方式のアンテナとしても利用できる。
【産業上の利用可能性】
【００４９】
本発明は、アンテナ及びタッチセンサを有するディスプレイ装置に広く適用できる。
【符号の説明】
【００５０】
１      ：ディスプレイ装置
３      ：基板
５      ：ディスプレイ
７      ：タッチセンサ
８      ：第２接着層
９      ：カバー部材
３１    ：アンテナ構造
３３    ：アンテナ素子
３５    ：グラウンド電極
３７    ：給電線路
３８    ：空気層
３９    ：周辺回路
４０    ：誘電体層
【図１】
2020178217.tif 000003
【図２】
2020178217.tif 000004
【図３】
2020178217.tif 000005
【図４】
2020178217.tif 000006
【図５】
2020178217.tif 000007
【図６】
2020178217.tif 000008
【図７】
2020178217.tif 000009
【図８】
2020178217.tif 000010
【図９】
2020178217.tif 000011
【図１０】
2020178217.tif 000012
【図１１】
2020178217.tif 000013